(57)【要約】      （修正有）【課題】構造設計が合理的で、組み立て、生産、使用が容易になり、密封効果が高く、洗浄しやすく、内密封栓又は内密封栓・フィルター付きの保温水筒、及び同類の製品の構造改良に適用できるフィルター付き保温水筒を提供する。【解決手段】内栓６と蓋体７が一体に接続されたフィルター付き保温水筒であって、前記開口部ユニットの内蓋体４の本体側の係止部の外輪に雄ネジが設けられ、内蓋体の本体側の係止部の内輪に雌ネジが設けられ、内栓６の頭部側の外輪に雄ネジが設けられ、内蓋体は雄ネジで本体１の開口部の雌ネジに接続され、接続部位にスリーブシールリングが設けられ、内蓋体は雌ネジで蓋体７内の内栓の雄ネジに接続され、内栓の雄ネジの上方の外輪にある内栓シールリング５は内蓋体の係止部の内輪に当接されて密封し、内蓋体の上係止部が本体の開口部より高い。【選択図】図１
0003218297.tif 000002
【実用新案登録請求の範囲】
【請求項１】
本体（１）に蓋体（７）が設けられ、本体の開口部の内輪に開口部ユニットが設けられ、蓋体内に内栓（６）が設けられ、内栓の頭部側の外輪に内栓シールリング（５）が設けられ、内栓と蓋体が一体に接続されたフィルター付き保温水筒であって、
前記開口部ユニットの内蓋体（４）の本体側の係止部の外輪に雄ネジが設けられ、内蓋体の本体側の係止部の内輪に雌ネジが設けられ、内栓（６）の頭部側の外輪に雄ネジが設けられ、内蓋体は雄ネジで本体（１）の開口部の雌ネジに接続され、接続部位にスリーブシールリングが設けられ、内蓋体は雌ネジで蓋体（７）内の内栓の雄ネジに接続され、内栓の雄ネジの上方の外輪にある内栓シールリング（５）は内蓋体の係止部の内輪に当接されて密封し、内蓋体の上係止部が本体の開口部より高いことを特徴とするフィルター付き保温水筒。
【請求項２】
前記開口部ユニットのスリーブシールリングは、フィルターシールリング（２）であり、フィルターシールリングの環状開口が内蓋体（４）の本体側の下係止部に係止されることを特徴とする請求項１に記載のフィルター付き保温水筒。
【請求項３】
前記開口部ユニットの内蓋体（４）と本体（１）の螺合部位に、本体の開口部の外輪に位置し内蓋体と一体に接続された開口部リング（３）が設けられることを特徴とする請求項１又は２に記載のフィルター付き保温水筒。
【考案の詳細な説明】
【技術分野】
【０００１】
本考案は、本考案は、カップ、特にフィルター付き保温水筒に関する。
【背景技術】
【０００２】
カップは日常生活において液体を収納する容器であり、手で把持しやすくするとともに液体を保温するために、高さが幅より大きい円筒体形をするのが一般的である。保温水筒は、一般的に、ステンレスで製造されるものであり、すなわち、保温水筒は、内層ステンレスと外層ステンレスで製造されるものであり、溶接技術によりインナーとハウジングを一体に結合して、次に真空技術でインナーとハウジングの中間層にある空気を抜き出すことで、真空保温効果を果たす。従来の一部の保温カップでは、中間蓋（内栓体）にフィルターが設けられており、例えば、中国特許文献として、出願番号２０１４２０５６２１３８．６、授権公告日２０１５．０２．１１、考案の名称「保温水筒」のものと、出願番号２０１２２０２７０３５６．３、授権公告日２０１３．０１．０１２、考案の名称「便携型保温水筒の埋め込み式フィルター改良構造」のものとが開示されているが、上記保温水筒や同類の製品は、取り外して洗浄することが面倒で、密封効果や保温効果が不十分である。
【考案の概要】
【考案が解決しようとする課題】
【０００３】
上記欠点を解決するために、本考案の目的は、本分野に属するフィルター付き保温水筒を提供し、従来の同類の製品の内蓋体（内栓体）の構造設計の欠陥により、密封、フィルター、内栓の構造設計の欠点や使用、洗浄の不便さを引き起こすという技術的問題を解決することである。この目的は、下記技術案によって達成させる。
【課題を解決するための手段】
【０００４】
本体に蓋体が設けられ、本体の開口部の内輪に開口部ユニットが設けられ、蓋体内に内栓が設けられ、内栓の頭部側の外輪に内栓シールリングが設けられ、内栓と蓋体が一体に接続されたフィルター付き保温水筒であって、前記開口部ユニットの内蓋体の本体側の係止部の外輪に雄ネジが設けられ、内蓋体の本体側の係止部の内輪に雌ネジが設けられ、内栓の頭部側の外輪に雄ネジが設けられ、内蓋体は雄ネジで本体の開口部の雌ネジに接続され、接続部位にスリーブシールリングが設けられ、内蓋体は雌ネジで蓋体内の内栓の雄ネジに接続され、内栓の雄ネジの上方の外輪にある内栓シールリングは内蓋体の係止部の内輪に当接されて密封し、内蓋体の上係止部が本体の開口部より高いことを構造設計の特徴とするフィルター付き保温水筒。それによって、保温水筒の本体構造では、開口部の高さを低く設計して、本体の開口部にある雌ネジを介して、蓋体及び内蓋体を用いて該保温水筒を密封する効果を奏し、内蓋体の使用に影響を与えることがなく、容易に取り外して洗浄できる。
【０００５】
前記開口部ユニットのスリーブシールリングは、フィルターシールリングであり、フィルターシールリングの環状開口が内蓋体の本体側の下係止部に係止される。上記フィルターシールリングをフィルターとすることで、該保温水筒は茶等の飲料物を飲用するときに簡便に濾過できる。
【０００６】
前記開口部ユニットの内蓋体と本体の螺合部位に、本体の開口部の外輪に位置し内蓋体と一体に接続された開口部リングが設けられる。このように、内蓋体と本体の開口部の密封が容易になる。
【考案の効果】
【０００７】
本考案は、構造設計が合理的で、組み立て、生産、使用が容易になり、密封効果が高く、洗浄しやすく、内密封栓又は内密封栓・フィルター付きの保温水筒、及び同類の製品の構造改良に適用できる。
【図面の簡単な説明】
【０００８】
【図１】本考案の解体構造模式図である。
【図２】本考案の立体構造模式図である。
【図３】本考案の断面構造模式図である。
【図４】本考案の開口部ユニットと本体を分離した状態の構造模式図である。
【図５】本考案の蓋体の内部構造模式図である。
【図６】本考案の開口部ユニットと本体を組み立てた状態の構造模式図である。
【考案を実施するための形態】
【０００９】
図面を参照しながら、本考案の構造と使用についてさらに説明する。図１〜図６に示されるように、該保温水筒では、本体１に蓋体７が設けられ、本体の開口部の内輪に開口部ユニットが設けられ、蓋体内に内栓６が設けられ、内栓の頭部側の外輪に内栓シールリング５が設けられ、内栓と蓋体が一体に接続される。上記開口部ユニットの具体的な構造としては、開口部ユニットの内蓋体４の本体側の係止部の外輪に雄ネジが設けられ、内蓋体の本体側の係止部の内輪に雌ネジが設けられ、内栓６の頭部側の外輪に雄ネジが設けられ、内蓋体は雄ネジで本体１の開口部の雌ネジに接続され、接続部位にスリーブシールリングが設けられ、内蓋体は雌ネジで蓋体内の内栓の雄ネジに接続され、内栓の雄ネジの上方の外輪にある内栓シールリングは内蓋体の係止部の内輪に当接されて密封し、内蓋体の上係止部が本体の開口部より高い。さらに、上記スリーブシールリングは、フィルターシールリング２であり、フィルターシールリングの環状開口が内蓋体の本体側の下係止部に係止され、内蓋体と本体の螺合部位に、本体の開口部の外輪に位置し内蓋体と一体に接続された開口部リング３が設けられる。
【００１０】
使用の際、蓋体を回転させると、蓋体を内蓋体内から螺出し、又は、蓋体と開口部ユニットを一体として本体から螺出することができる。蓋体と開口部ユニットを一体として螺出する場合、開口部ユニットを蓋体から螺出して、本体の開口部に螺入して使用できる。
【符号の説明】
【００１１】
１  本体
２  フィルターシールリング
３  開口部リング
４  内蓋体
５  内栓シールリング
６  内栓
７  蓋体
【図１】
0003218297.tif 000003
【図２】
0003218297.tif 000004
【図３】
0003218297.tif 000005
【図４】
0003218297.tif 000006
【図５】
0003218297.tif 000007
【図６】
0003218297.tif 000008